(57)【要約】【課題】利便性を向上することのできる画像読取装置および画像読取装置の制御プログラムを提供する。【解決手段】画像読取装置としてのＭＦＰ（Ｍｕｌｔｉｆｕｎｃｔｉｏｎ  Ｐｅｒｉｐｈｅｒａｌ）は、プラテン上に配置された複数の原稿の画像を含む読取画像を取得する画像読取部２０と、読取画像に基づいて、原稿同士の重なりの発生の有無を検出する原稿重なり検出部１１２と、原稿同士の重なりを検出した場合に、重なりが生じている複数の原稿のうちプラテンに最も近い側の原稿である最前面の原稿の画像を特定する最前面画像特定部１１３と、最前面の原稿の画像を保存する最前面画像保存部１１４と、重なりが生じている複数の原稿のうち最前面の原稿の除去を要求し、重なりが生じている複数の原稿のうち最前面の原稿以外の原稿の再配置を要求する再配置通知部１１５とを備える。【選択図】図２
2020174241.tif 000002
【特許請求の範囲】
【請求項１】
プラテン上に配置された複数の原稿の画像を含む読取画像を取得する取得手段と、
前記読取画像に基づいて、原稿同士の重なりの発生の有無を検出する重なり検出手段と、
原稿同士の重なりを前記重なり検出手段にて検出した場合に、重なりが生じている複数の原稿のうち前記プラテンに最も近い側の原稿である最前面の原稿の画像を特定する最前面特定手段と、
前記最前面の原稿の画像を保存する保存手段と、
重なりが生じている複数の原稿のうち前記最前面の原稿の除去を要求し、重なりが生じている複数の原稿のうち前記最前面の原稿以外の原稿の再配置を要求する要求手段とを備えた、画像読取装置。
【請求項２】
前記プラテン上に複数の原稿が配置されていることを示す設定を受け付ける受付手段をさらに備え、
前記受付手段にて前記設定を受け付けた場合に、前記重なり検出手段は原稿同士の重なりの発生の有無を検出する、請求項１の記載の画像読取装置。
【請求項３】
前記読取画像内の明度レベルの分布に基づいて、前記読取画像内の原稿領域であって、前記プラテン上に配置された複数の原稿が存在する領域である原稿領域を特定する原稿領域特定手段をさらに備え、
前記重なり検出手段は、前記原稿領域の画像に基づいて、原稿同士の重なりの発生の有無を検出する、請求項１または２に記載の画像読取装置。
【請求項４】
前記重なり検出手段は、
前記原稿領域の輪郭から線分の方向が互いに直交している頂点を特定する第１の頂点特定手段と、
前記第１の頂点特定手段にて特定した頂点が矩形を構成するか否かに基づいて、前記原稿領域における原稿同士の重なりの発生の有無を検出する頂点検出手段とを含む、請求項３に記載の画像読取装置。
【請求項５】
前記最前面特定手段は、
前記原稿領域の画像のうち第１の範囲内の明度レベルを有する画素を前記原稿領域の画像から除外する除外手段と、
前記除外手段にて除外した後の新たな画像の輪郭から頂点を特定する第２の頂点特定手段と、
前記第２の頂点特定手段にて特定した頂点が矩形を構成する場合に、前記新たな画像が前記最前面の原稿の画像であると判断する第１の最前面判断手段と、
前記第２の頂点特定手段にて特定した頂点が矩形を構成しない場合に、前記新たな画像が前記最前面の原稿の画像でないと判断する第２の最前面判断手段とを含む、請求項３または４に記載の画像読取装置。
【請求項６】
前記除外手段は、
前記原稿領域の画像が有する複数の明度レベルのうちピークとなる明度レベルを特定するピーク特定手段と、
前記ピーク特定手段にて特定した明度レベルを含む前記第１の範囲内の明度レベルを有する画素を前記原稿領域の画像から除外する画素除外手段とを含む、請求項５に記載の画像読取装置。
【請求項７】
前記最前面特定手段は、
前記原稿領域の輪郭から直角である頂点を特定する第３の頂点特定手段と、
前記第３の頂点特定手段にて特定した頂点の座標に基づいて、重なりが生じている原稿の輪郭を構成する複数の頂点および線分であって、前記原稿領域の輪郭に含まれていない複数の頂点および線分を推定する推定手段と、
前記推定手段にて推定した複数の線分の各々の位置での前記原稿領域の画像の明度レベルの変化に基づいて、前記推定手段にて推定した複数の線分の中から前記最前面の原稿の輪郭を構成する線分を特定する線分特定手段と、
前記線分特定手段にて特定した線分で規定される矩形の領域の画像を前記最前面の原稿の画像として特定する画像特定手段とを含む、請求項３または４に記載の画像読取装置。
【請求項８】
前記線分特定手段は、
前記推定手段にて推定した複数の線分の各々について、線分の延在方向に対して垂直な方向に沿った前記原稿領域の画像における明度レベルが変化する位置であるエッジの有無を検出するエッジ検出手段と、
前記推定手段にて推定した複数の線分の各々についての前記エッジ検出手段の検出結果に基づいて、前記推定手段にて推定した複数の線分の中から前記最前面の原稿の輪郭を構成する線分を特定するエッジ特定手段とを含む、請求項７に記載の画像読取装置。
【請求項９】
前記要求手段は、
主走査方向または副走査方向を基準線として前記原稿領域の画像を反転させる反転手段と、
前記反転手段にて反転させた後の画像において、前記最前面の原稿の画像を除去対象の原稿として特定し、前記反転手段にて反転させた後の前記最前面の原稿の画像以外の画像を再配置対象の原稿として特定する再配置特定手段と、
前記除去対象の原稿の除去および前記再配置対象の原稿の再配置を要求する再配置要求手段とを含む、請求項３〜８のいずれかに記載の画像読取装置。
【請求項１０】
前記再配置要求手段は、前記反転手段にて反転させた後の前記原稿領域の画像における前記除去対象の原稿および前記再配置対象の原稿を互いに異なる態様で表示することにより、前記除去対象の原稿の除去および前記再配置対象の原稿の再配置を要求する、請求項９に記載の画像読取装置。
【請求項１１】
ヒンジを中心として回動可能であり、前記プラテンを露出する開いた状態と、前記プラテンを覆う閉じた状態とを採ることが可能な原稿押さえをさらに備えた、請求項１〜１０のいずれかに記載の画像読取装置。
【請求項１２】
プラテン上に配置された複数の原稿の画像を含む読取画像を取得する取得ステップと、
前記読取画像に基づいて、原稿同士の重なりを検出する重なり検出ステップと、
原稿同士の重なりを前記重なり検出ステップにて検出した場合に、重なりが生じている複数の原稿のうち前記プラテンに最も近い側の原稿である最前面の原稿の画像を特定する最前面特定ステップと、
前記最前面の原稿の画像を保存する保存ステップと、
重なりが生じている複数の原稿のうち前記最前面の原稿の除去を要求し、重なりが生じている複数の原稿のうち前記最前面の原稿以外の原稿の再配置を要求する要求ステップとをコンピューターに実行させる、画像読取装置の制御プログラム。
【発明の詳細な説明】
【技術分野】
【０００１】
本発明は、画像読取装置および画像読取装置の制御プログラムに関する。より特定的には、本発明は、利便性を向上することのできる画像読取装置および画像読取装置の制御プログラムに関する。
【背景技術】
【０００２】
画像読取装置は、原稿に光を照射し、原稿の画像で反射した光を受光して画像を読み取る。近年、地球環境意識の向上、経費節約の観点、またはＰＣ（Ｐｅｒｓｏｎａｌ  Ｃｏｍｐｕｔｅｒ）やタブレットの普及などにより、保存しておく資料を印刷物からデータに変換することで、業務効率化を図る企業が増えている。この場合、データへの変換は、画像読取装置で印刷物の画像を読み取ることにより行われる。画像形成装置の中には自動原稿送り装置（ＡＤＦ（Ａｕｔｏ  Ｄｏｃｕｍｅｎｔ  Ｆｅｅｄｅｒ））を搭載しているものも存在する。
【０００３】
領収書や写真などの小さいサイズの原稿の画像を読み取る際、ユーザーは、作業の効率化のため、画像読取装置のプラテン（原稿台ガラス）に複数の原稿を配置し、画像読取装置に対して画像読取の実行指示を行う。画像読取装置はこの指示を受けると、一度の読取動作によって複数の原稿の画像を含む読取画像を生成する。
【０００４】
特に、原稿が領収書などである場合、原稿には様々なサイズや形状のものが存在する。このため、原稿が領収書などである場合には、自動原稿送り装置を用いて原稿を通紙することにより原稿の画像を読み取ることは難しいことが多い。そこでユーザーは、画像読取装置のプラテン上に複数の原稿を配置することにより、複数の原稿の画像を含む読取画像を得る。
【０００５】
なお、プラテン上に複数の原稿が配置された場合における原稿同士の重なりを検知する技術は、下記特許文献１などに開示されている。下記特許文献１には、原稿の位置検出結果が５角形以上の多角形として認識された場合、原稿が重なっているものとしてエラー表示を行い、ユーザーにプリント原稿の位置を確認するよう注意する技術が開示されている。
【先行技術文献】
【特許文献】
【０００６】
【特許文献１】特開２００４−２６０４５７号公報
【発明の概要】
【発明が解決しようとする課題】
【０００７】
図２０は、プラテン上に複数の原稿ＭＳを配置する場合の従来の問題点を説明する図である。
【０００８】
図２０を参照して、プラテンへの原稿ＭＳの配置はユーザーの手作業によって行われる。複数の原稿ＭＳは、図２０（ａ）に示すように、プラテン上における読取領域（画像読取装置が画像を読取可能な領域）Ｒ０内に、互いに重ならないように配置される。複数の原稿ＭＳの合計の面積が読取領域Ｒ０の面積と同程度に大きい場合などには、図２０（ｂ）に示すように、プラテン上の原稿同士の重なり（図２０（ｂ）中領域ＯＰで示す部分）が生じることがある。原稿同士の重なりが生じた状態で原稿の画像が読み取られた場合、重なりが生じた複数の原稿ＭＳのうち最前面（プラテンに最も近い側）の原稿以外の原稿では、最前面の原稿の上に重なった部分の画像が読取画像から欠落する。
【０００９】
特許文献１などの従来の技術では、ユーザーは、原稿同士の重なりが生じた場合、図２０（ｃ）に示すように、原稿同士が重ならないように複数の原稿ＭＳの全てをプラテンに配置し直し、複数の原稿ＭＳの全ての画像を画像読取装置に再度読み取らせる必要があった。しかし、複数の原稿ＭＳの合計の面積が読取領域Ｒ０の面積と同程度に大きい場合などには、原稿同士の間隔が狭い。このため、図２０（ｄ）に示すように、原稿ＭＳを配置し直した後も原稿同士の重なり（図２０（ｄ）中領域ＯＰで示す部分）が再び生じるおそれがあり、利便性が低いという問題があった。
【００１０】
本発明は、上記課題を解決するためのものであり、その目的は、利便性を向上することのできる画像読取装置および画像読取装置の制御プログラムを提供することである。
【課題を解決するための手段】
【００１１】
本発明の一の局面に従う画像読取装置は、プラテン上に配置された複数の原稿の画像を含む読取画像を取得する取得手段と、読取画像に基づいて、原稿同士の重なりの発生の有無を検出する重なり検出手段と、原稿同士の重なりを重なり検出手段にて検出した場合に、重なりが生じている複数の原稿のうちプラテンに最も近い側の原稿である最前面の原稿の画像を特定する最前面特定手段と、最前面の原稿の画像を保存する保存手段と、重なりが生じている複数の原稿のうち最前面の原稿の除去を要求し、重なりが生じている複数の原稿のうち最前面の原稿以外の原稿の再配置を要求する要求手段とを備える。
【００１２】
上記画像読取装置において好ましくは、プラテン上に複数の原稿が配置されていることを示す設定を受け付ける受付手段をさらに備え、受付手段にて設定を受け付けた場合に、重なり検出手段は原稿同士の重なりの発生の有無を検出する。
【００１３】
上記画像読取装置において好ましくは、読取画像内の明度レベルの分布に基づいて、読取画像内の原稿領域であって、プラテン上に配置された複数の原稿が存在する領域である原稿領域を特定する原稿領域特定手段をさらに備え、重なり検出手段は、原稿領域の画像に基づいて、原稿同士の重なりの発生の有無を検出する。
【００１４】
上記画像読取装置において好ましくは、重なり検出手段は、原稿領域の輪郭から線分の方向が互いに直交している頂点を特定する第１の頂点特定手段と、第１の頂点特定手段にて特定した頂点が矩形を構成するか否かに基づいて、原稿領域における原稿同士の重なりの発生の有無を検出する頂点検出手段とを含む。
【００１５】
上記画像読取装置において好ましくは、最前面特定手段は、原稿領域の画像のうち第１の範囲内の明度レベルを有する画素を原稿領域の画像から除外する除外手段と、除外手段にて除外した後の新たな画像の輪郭から頂点を特定する第２の頂点特定手段と、第２の頂点特定手段にて特定した頂点が矩形を構成する場合に、新たな画像が最前面の原稿の画像であると判断する第１の最前面判断手段と、第２の頂点特定手段にて特定した頂点が矩形を構成しない場合に、新たな画像が最前面の原稿の画像でないと判断する第２の最前面判断手段とを含む。
【００１６】
上記画像読取装置において好ましくは、除外手段は、原稿領域の画像が有する複数の明度レベルのうちピークとなる明度レベルを特定するピーク特定手段と、ピーク特定手段にて特定した明度レベルを含む第１の範囲内の明度レベルを有する画素を原稿領域の画像から除外する画素除外手段とを含む。
【００１７】
上記画像読取装置において好ましくは、最前面特定手段は、原稿領域の輪郭から直角である頂点を特定する第３の頂点特定手段と、第３の頂点特定手段にて特定した頂点の座標に基づいて、重なりが生じている原稿の輪郭を構成する複数の頂点および線分であって、原稿領域の輪郭に含まれていない複数の頂点および線分を推定する推定手段と、推定手段にて推定した複数の線分の各々の位置での原稿領域の画像の明度レベルの変化に基づいて、推定手段にて推定した複数の線分の中から最前面の原稿の輪郭を構成する線分を特定する線分特定手段と、線分特定手段にて特定した線分で規定される矩形の領域の画像を最前面の原稿の画像として特定する画像特定手段とを含む。
【００１８】
上記画像読取装置において好ましくは、線分特定手段は、推定手段にて推定した複数の線分の各々について、線分の延在方向に対して垂直な方向に沿った原稿領域の画像における明度レベルが変化する位置であるエッジの有無を検出するエッジ検出手段と、推定手段にて推定した複数の線分の各々についてのエッジ検出手段の検出結果に基づいて、推定手段にて推定した複数の線分の中から最前面の原稿の輪郭を構成する線分を特定するエッジ特定手段とを含む。
【００１９】
上記画像読取装置において好ましくは、要求手段は、主走査方向または副走査方向を基準線として原稿領域の画像を反転させる反転手段と、反転手段にて反転させた後の画像において、最前面の原稿の画像を除去対象の原稿として特定し、反転手段にて反転させた後の最前面の原稿の画像以外の画像を再配置対象の原稿として特定する再配置特定手段と、除去対象の原稿の除去および再配置対象の原稿の再配置を要求する再配置要求手段とを含む。
【００２０】
上記画像読取装置において好ましくは、再配置要求手段は、反転手段にて反転させた後の原稿領域の画像における除去対象の原稿および再配置対象の原稿を互いに異なる態様で表示することにより、除去対象の原稿の除去および再配置対象の原稿の再配置を要求する。
【００２１】
上記画像読取装置において好ましくは、ヒンジを中心として回動可能であり、プラテンを露出する開いた状態と、プラテンを覆う閉じた状態とを採ることが可能な原稿押さえをさらに備える。
【００２２】
本発明の他の局面に従う画像読取装置の制御プログラムは、プラテン上に配置された複数の原稿の画像を含む読取画像を取得する取得ステップと、読取画像に基づいて、原稿同士の重なりを検出する重なり検出ステップと、原稿同士の重なりを重なり検出ステップにて検出した場合に、重なりが生じている複数の原稿のうちプラテンに最も近い側の原稿である最前面の原稿の画像を特定する最前面特定ステップと、最前面の原稿の画像を保存する保存ステップと、重なりが生じている複数の原稿のうち最前面の原稿の除去を要求し、重なりが生じている複数の原稿のうち最前面の原稿以外の原稿の再配置を要求する要求ステップとをコンピューターに実行させる。
【発明の効果】
【００２３】
本発明によれば、利便性を向上することのできる画像読取装置および画像読取装置の制御プログラムを提供することができる。
【図面の簡単な説明】
【００２４】
【図１】本発明の一実施の形態におけるＭＦＰ１の構成を模式的に示す断面図である。
【図２】本発明の一実施の形態における制御部１００の構成を示すブロック図である。
【図３】原稿押さえを備えた画像読取装置に特有の問題を説明する第１の図である。
【図４】原稿押さえを備えた画像読取装置に特有の問題を説明する第２の図である。
【図５】本発明の一実施の形態におけるＭＦＰ１の動作を示すフローチャートである。
【図６】図５の原稿領域を特定する処理（Ｓ４）を説明する図である。
【図７】図５の原稿領域を特定する処理（Ｓ４）のサブルーチンである。
【図８】図５の原稿の重なりを検出する処理（Ｓ５）を説明する図である。
【図９】図５の原稿の重なりを検出する処理（Ｓ５）のサブルーチンである。
【図１０】図５の最前面画像を特定する処理（Ｓ７）を説明する図である。
【図１１】図５の最前面画像を特定する処理（Ｓ７）のサブルーチンである。
【図１２】図５の最前面画像を特定する処理（Ｓ７）の変形例を説明する第１の図である。
【図１３】図５の最前面画像を特定する処理（Ｓ７）の変形例を説明する第２の図である。
【図１４】図５の最前面画像を特定する処理（Ｓ７）の変形例における、エッジの検出結果と特定される最前面画像との関係を示す図である。
【図１５】図５の最前面画像を特定する処理（Ｓ７）の変形例のサブルーチンである。
【図１６】図５の原稿同士の重なり発生を通知する処理（Ｓ９）を説明する図である。
【図１７】図５の原稿同士の重なり発生を通知する処理（Ｓ９）において操作パネル７０に表示される画面を模式的に示す図である。
【図１８】図５の原稿同士の重なり発生を通知する処理（Ｓ９）のサブルーチンである。
【図１９】本発明の一実施の形態の効果を説明する図である。
【図２０】プラテン上に複数の原稿ＭＳを配置する場合の従来の問題点を説明する図である。
【発明を実施するための形態】
【００２５】
以下、本発明の一実施の形態について、図面に基づいて説明する。
【００２６】
以下の実施の形態では、画像読取装置がＭＦＰ（Ｍｕｌｔｉｆｕｎｃｔｉｏｎ  Ｐｅｒｉｐｈｅｒａｌ）である場合について説明する。ＭＦＰは、スキャナー機能、ファクシミリ機能、複写機能、プリンターとしての機能、データ通信機能、およびサーバー機能を備えた電子写真式の画像形成装置である。画像読取装置はＭＦＰである場合の他、スキャナーまたは複写機などであってもよい。
【００２７】
［ＭＦＰの構成］
【００２８】
始めに、本実施の形態におけるＭＦＰ１の構成について説明する。
【００２９】
図１は、本発明の一実施の形態におけるＭＦＰ１の構成を模式的に示す断面図である。
【００３０】
図１を参照して、本実施の形態におけるＭＦＰ１（画像読取装置の一例）は、自動原稿送り装置１０（原稿押さえの一例）と、原稿読取部２０（取得手段の一例）と、画像形成部３０と、自動両面ユニット４０と、給紙部５０と、給紙キャビネット６０と、操作パネル７０（受付手段の一例）と、ファクシミリユニット９０と、通信インターフェース（Ｉ／Ｆ）ユニット９１と、制御部１００と、ＨＤＤ（Ｈａｒｄ  Ｄｉｓｋ  Ｄｒｉｖｅ）１２０などを備えている。
【００３１】
自動原稿送り装置１０は、原稿給紙トレイ１２上にセットされた複数の原稿を１枚ずつ自動的に給紙する。自動原稿送り装置１０は、給紙した原稿を、原稿読取部２０のプラテン（プラテンガラス）２０ａ（プラテンの一例）上に設定された所定の画像読取位置に搬送し、その後、原稿排紙トレイ１３上に排出する。
【００３２】
自動原稿送り装置１０は、原稿セットセンサー１１を含んでいる。原稿セットセンサー１１は、公知のタクトスイッチで構成されている。原稿セットセンサー１１は、原稿給紙トレイ１２に原稿がセットされたか否かを検出し、検出結果を信号として制御部１００に送信する。自動原稿送り装置１０は開閉可能であり、プラテン２０ａ上に原稿が配置された場合の原稿押さえとしても機能する。
【００３３】
原稿読取部２０は、自動原稿送り装置１０によって搬送された原稿の画像を画像読取位置で読み取る。また原稿読取部２０は、プラテン２０ａ上に配置された原稿の画像を読み取る。原稿読取部２０は、画像読取位置に搬送された原稿の大きさなどに応じて原稿の画像を走査し、その入射光を電気信号に変換して、読取データとして制御部１００に送る。
【００３４】
原稿読取部２０は、プラテン２０ａと、ＩＲモジュール２０ｂと、駆動伝達部２０ｃと、ＩＲモータ２０ｄなどを含んでいる。
【００３５】
ＩＲモジュール２０ｂは、ＩＲモータ２０ｄおよびベルトやワイヤなどの駆動伝達部２０ｃにより、プラテン２０ａに沿って図１中横方向に移動（走査）可能である。またＩＲモジュール２０ｂは、原稿に光を照射するためのランプ２０ｅと、原稿からの反射光を受光するイメージセンサ２０ｆとを有している。ランプ２０ｅはプラテン２０ａ上に配置された原稿を走査し、イメージセンサ２０ｆは原稿からの反射光を受光する。これによりＩＲモジュール２０ｂは、原稿の画像を読み取ってその画像データを取得する。
【００３６】
原稿読取部２０は、装置持ち上げセンサー２１を含んでいる。装置持ち上げセンサー２１は公知の磁気センサーで構成されている。装置持ち上げセンサー２１は、自動原稿送り装置１０が開かれたか否かを検出し（プラテン２０ａが露出されたか否かを検出し）、その結果を信号として制御部１００に送信する。
【００３７】
画像形成部３０は、電子写真方式により用紙に画像を形成する。画像形成部３０は、感光体ドラム３１ａ、３１ｂ、３１ｃ、および３１ｄと、露光走査ユニット３２ａ、３２ｂ、３２ｃ、および３２ｄと、転写ベルト３３と、これらの部材を保護するための前扉カバー（図示無し）と、前扉センサー３４とを含んでいる。
【００３８】
感光体ドラム３１ａ、３１ｂ、３１ｃ、および３１ｄの各々は、Ｙ（イエロー）、Ｍ（マゼンタ）、Ｃ（シアン）、およびＫ（ブラック）の各色に対応している。同様に、露光走査ユニット３２ａ、３２ｂ、３２ｃ、および３２ｄの各々は、ＹＭＣＫの各色に対応している。
【００３９】
露光走査ユニット３２ａ、３２ｂ、３２ｃ、および３２ｄの各々は、制御部１００から出力される駆動信号に基づくレーザー光を生成し、生成したレーザー光を感光体ドラム３１ａ、３１ｂ、３１ｃ、および３１ｄの各々の表面に露光走査する。これにより、感光体ドラム３１ａ、３１ｂ、３１ｃ、および３１ｄの各々の表面の表面には静電潜像が形成される。その後、感光体ドラム３１ａ、３１ｂ、３１ｃ、および３１ｄの各々の表面の静電潜像はトナーにより現像されてトナー像となる。感光体ドラム３１ａ、３１ｂ、３１ｃ、および３１ｄの各々の表面に形成されたトナー像は、互いに重ね合わされるように転写ベルト３３上に転写される。転写ベルト３３上に重ね合わされたトナー像は、画像形成位置３５で、給紙部５０によって搬送される用紙に転写される。
【００４０】
前扉センサー３４はタクトスイッチで構成されている。前扉センサー３４は、前扉カバーが開放されたか否かを検出し、検出結果を信号として制御部１００に送信する。
【００４１】
自動両面ユニット４０は、画像形成位置３５で片面に画像が形成された後の用紙を、通紙経路上で一旦スイッチバックさせ、画像形成位置３５に再度給紙する。これにより、用紙に対する両面印刷が可能となる。
【００４２】
給紙部５０は、画像形成部３０に用紙を搬送する。給紙部５０は、用紙を収納する給紙カセット５１および５３と、給紙カセット５１および５３の各々に収容された用紙を繰り出すためのピックアップローラー５２および５４の各々とを含んでいる。
【００４３】
給紙キャビネット６０は、給紙部５０を経由して画像形成部３０に用紙を搬送する。給紙キャビネット６０は、用紙を収納する給紙カセット６１および６３と、給紙カセット６１および６３の各々に収容された用紙を繰り出すためのピックアップローラー６２および６４の各々とを含んでいる。
【００４４】
操作パネル７０は、公知のユーザインターフェースであり、表示部７１と、タッチパネル入力部７２と、キー入力部７３と、副電源スイッチ８０とを含んでいる。表示部７１は各種情報を表示する。タッチパネル入力部７２は、表示部７１への各種入力（操作）を検出する。キー入力部７３は、各種ハードウェアキーの押下を検出する。副電源スイッチ８０は、ユーザーが省電力動作モードであるスリープモードへの移行を直接指示するためのスイッチである。
【００４５】
ファクシミリユニット９０は、公衆電話回線に接続しており、画像データなどの各種データの送受信を行う。
【００４６】
制御部１００は、ＭＦＰ１全体を制御する。コピージョブを実行する場合、制御部１００は、原稿読取部２０から受信した読取データに対してシェーディング補正などの各種データ処理を施す。制御部１００は、用紙の供給と同期して、データ処理後の読取データを主走査ラインごとに読み出し、露光走査ユニット３２ａ、３２ｂ、３２ｃ、および３２ｄの各々のレーザダイオードを駆動するための信号を出力する。
【００４７】
通信インターフェースユニット９１は、ＬＡＮなどの外部ネットワークに接続されたＰＣ（Ｐｅｒｓｏｎａｌ  Ｃｏｍｐｕｔｅｒ）などの機器や、ＵＳＢ端子を通じて接続された機器との通信を行うためのインターフェースである。
【００４８】
ＨＤＤ１２０は、制御部１００から送信される画像データなどの各種情報を記憶する。
【００４９】
図２は、本発明の一実施の形態における制御部１００の構成を示すブロック図である。
【００５０】
図２を参照して、制御部１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、原稿領域特定部１１１（原稿領域特定手段の一例）と、原稿重なり検出部１１２（重なり検出手段の一例）と、最前面画像特定部１１３（最前面特定手段の一例）と、最前面画像保存部１１４（保存手段の一例）と、再配置通知部１１５（要求手段の一例）とを含んでいる。
【００５１】
ＣＰＵ１０１は、制御プログラムに従って動作し、ＭＦＰ１全体を制御する。
【００５２】
ＲＯＭ１０２は、制御プログラムを記憶している。
【００５３】
ＲＡＭ１０３は、ＣＰＵ１０１の作業用のメモリであり、各種データを一時的に保存する。
【００５４】
ＣＰＵ１０１は、操作パネル７０を通じてユーザーからの画像読取の実行指示（スキャン指示）を受け付けた場合に、原稿読取部２０にて、プラテン２０ａ上に配置された原稿の画像を読み取り、読取画像（読取領域の画像）を生成する。
【００５５】
原稿領域特定部１１１、原稿重なり検出部１１２、最前面画像特定部１１３、最前面画像保存部１１４、および再配置通知部１１５の各々は、ＣＰＵ１０１が、ＲＯＭ１０２に記憶されている制御プログラムをＲＡＭ１０３にロードして実行することにより実現される機能的構成である。
【００５６】
原稿領域特定部１１１は、読取画像内の明度レベルの分布（読取領域内の背景下地と階調データとの明度レベルの差）に基づいて、読取画像内の原稿領域であって、プラテン２０ａ上に配置された複数の原稿が存在する領域である原稿領域を特定する。
【００５７】
原稿重なり検出部１１２は、読取画像（本実施の形態では原稿領域の画像）に基づいて、原稿同士の重なりの発生の有無を検出する。原稿重なり検出部１１２は、原稿領域の輪郭における線分の方向が直交する頂点を特定し、特定した頂点に基づいて原稿同士の重なりの発生の有無を検出する。
【００５８】
最前面画像特定部１１３は、原稿同士の重なりを重なり検出部１１２にて検出した場合に、重なりが生じている複数の原稿のうちプラテン２０ａに最も近い側の原稿である最前面の原稿の画像を特定する。
【００５９】
最前面画像保存部１１４は、最前面画像特定部１１３にて特定した最前面の原稿の画像をＨＤＤ１２０に保存する。
【００６０】
再配置通知部１１５は、プラテン２０ａ上に配置された複数の原稿に原稿同士の重なりが生じている場合に、原稿同士の重なりの発生を通知する。また、重なりが生じている複数の原稿のうち最前面の原稿の除去を要求し、最前面の原稿以外の原稿の再配置を要求する。再配置通知部１１５は、原稿の除去および再配置に関する情報を含む画面を操作パネル７０に表示することにより、ユーザーに通知する。
【００６１】
［原稿押さえを備えた画像読取装置に特有の問題］
【００６２】
続いて、原稿押さえを備えた画像読取装置に特有の問題について説明する。
【００６３】
図３および図４は、原稿押さえを備えた画像読取装置に特有の問題を説明する図である。
【００６４】
図３を参照して、原稿押さえ１０１０は、本実施の形態の自動原稿送り装置１０に相当する部材である。原稿押さえ１０１０は、ヒンジ１０１０ａを中心として回動可能である。原稿押さえ１０１０は、プラテン１０２０ａを露出する開いた状態と、プラテン１０２０ａを覆う閉じた状態とを採ることができる。
【００６５】
ユーザーは、複数の原稿（領収書やレシートなど）ＭＳの読取画像を得る際、図３（ａ）に示すように、原稿押さえ１０１０を開いた状態でプラテン１０２０ａ上に複数の原稿ＭＳを配置する。そしてユーザーは、矢印Ｇで示すように原稿押さえ１０１０を閉じて、画像読取の実行指示を行う。この時、複数の原稿ＭＳは、プラテン１０２０ａ上における読取領域内に、互いに重ならないように配置される。
【００６６】
ここで、原稿ＭＳに折れやカールが生じている場合には、その原稿ＭＳは原稿押さえ１０１０に上から押されて伸びる。その結果、図３（ｂ）に示すように複数の原稿ＭＳ同士に重なりが発生しやすい。
【００６７】
図４を参照して、また、図４（ａ）において矢印Ｇで示すように原稿押さえ１０１０を閉じる際には、原稿押さえ１０１０とプラテン１０２０ａとの間に気流（図４（ａ）中点線の矢印）が発生する。この気流により複数の原稿ＭＳの各々は飛ばされ、ヒンジ１０１０ａから離れる方向に移動する。複数の原稿ＭＳの各々の移動量は気流の大きさや方向によって互いに異なるため、図４（ｂ）に示すように複数の原稿ＭＳ同士に重なりが発生しやすい。
【００６８】
上述のように、原稿押さえを備えた画像読取装置では、プラテン１０２０ａ上に複数の原稿が配置された場合に、原稿同士の重なりが特に生じやすい。なお、本発明において原稿押さえは必須ではなく省略されてもよい。
【００６９】
［ＭＦＰの動作の概要］
【００７０】
続いて、ＭＦＰ１の動作の概要について説明する。
【００７１】
図５は、本発明の一実施の形態におけるＭＦＰ１の動作を示すフローチャートである。
【００７２】
図５を参照して、ユーザーは、プラテン２０ａ上に原稿を配置した状態で、操作パネル７０に表示された設定画面を通じて、画像読取に関する各種設定および画像読取の実行指示を行う。制御部１００は、操作パネル７０を通じて画像読取の実行指示を受け付けると（Ｓ１）、複数の原稿の画像を読み取る設定（プラテン２０ａ上に複数の原稿が配置されていることを示す設定）が実行指示に含まれているか否かを判別する（Ｓ２）。
【００７３】
ステップＳ２において、複数の原稿の画像を読み取る設定が実行指示に含まれていないと判別した場合（Ｓ２でＮＯ）、制御部１００は、通常の読み取り動作を行う。すなわち、制御部１００は、原稿の画像を読み取り（Ｓ１０）、読み取った画像をＨＤＤ１２０に保存する（Ｓ１１）。その後、制御部１００は処理を終了する。
【００７４】
ステップＳ２において、複数の原稿の画像を読み取る設定が実行指示に含まれていると判別した場合（Ｓ２でＹＥＳ）、制御部１００は、プラテン２０ａ上に配置された複数の原稿の画像を含む読取画像を取得し（Ｓ３）、読取画像から原稿領域を特定し（Ｓ４）、原稿の重なりの発生の有無を検出する（Ｓ５）。続いて制御部１００は、ステップＳ５の処理で原稿の重なりの発生を検出したか否かを判別する（Ｓ６）。
【００７５】
ステップＳ６において、原稿の重なりの発生を検出しないと判別した場合（Ｓ６でＮＯ）、プラテン２０ａ上に配置された複数の原稿に、原稿の重なりが生じていない状態にある。この場合、制御部１００は、読み取った画像をＨＤＤ１２０に保存し（Ｓ１１）、処理を終了する。
【００７６】
ステップＳ６において、原稿の重なりの発生を検出したと判別した場合（Ｓ６でＹＥＳ）、プラテン２０ａ上に配置された複数の原稿に、原稿の重なりが生じている状態にある。この場合、制御部１００は、複数の原稿のうち最前面の原稿の画像を特定し（Ｓ７）、特定した最前面の原稿の画像をＨＤＤ１２０に保存する（Ｓ８）。続いて制御部１００は、原稿同士の重なりの発生を通知し（Ｓ９）、処理を終了する。
【００７７】
［原稿領域を特定する処理］
【００７８】
図６は、図５の原稿領域を特定する処理（Ｓ４）を説明する図である。なお図６および図１０では、明度レベルの違いをハッチングの違いで示している。
【００７９】
図６を参照して、本実施の形態では、読取領域（原稿読取部２０が画像を読取可能な領域）Ｒ０の画像である読取画像の明度レベルが図６（ａ）に示すものである場合を想定する。すなわち、図６（ａ）に示す読取画像は、相対的に明度レベルが高い領域Ｒ１の画像と、相対的に明度レベルが低い領域Ｒ２の画像とを含んでいる。領域Ｒ１は、プラテン２０ａ上に配置された原稿が存在しない領域である非原稿領域に相当する。領域Ｒ２は、原稿が配置されている領域である原稿領域に相当する。プラテン２０ａ上に配置された複数の原稿の画像は、原稿領域の画像（原稿画像と記すことがある）である領域Ｒ２の画像に相当する。
【００８０】
原稿領域を特定する処理（Ｓ４）において、制御部１００は、図６（ｂ）に示すヒストグラムを作成する。このヒストグラムは、読取画像内の各画素の明度レベルの分布を示すヒストグラムである。明度レベルは、イメージセンサ２０ｆを構成するＲ（レッド）、Ｇ（グリーン）、およびＢ（ブルー）の各色用の受光センサーの受光強度を示す出力値を、所定の式に代入することにより算出される。
【００８１】
読取画像内に存在する明度レベルを示すグラフを図６（ｃ）に示す。
【００８２】
図６（ｂ）に示すヒストグラムおよび図６（ｃ）に示すグラフから明らかであるように、読取画像内には複数の明度レベルの極大値が存在する。読取画像内の複数の明度レベルの極大値のうち最も高い明度レベルＬＶ１は、非原稿領域である領域Ｒ１の画像の明度レベルである。領域Ｒ１の画像の明度レベルは、自動原稿送り装置１０の下面（白板）の明度レベルに相当する。一方、読取画像内の複数の明度レベルの極大値のうち明度レベルＬＶ１以外の明度レベルＬＶ２は、原稿領域である領域Ｒ２の画像の明度レベルである。領域Ｒ２には複数の原稿が存在しており、複数の原稿の各々は互いに異なる紙質（反射率）を有している。このため、領域Ｒ２の画像の明度レベルＬＶ２は複数である。
【００８３】
制御部１００は、作成したヒストグラムにおける複数の明度レベルの極大値のうち最も高い明度レベルＬＶ１を、非原稿領域の画像の明度レベルとして検出する。制御部１００は、非原稿領域の画像の明度レベルとして既知の値を保持している場合、制御部１００は、非原稿領域の画像の明度レベルとして保持している値を検出してもよい。
【００８４】
続いて制御部１００は、作成したヒストグラムにおける複数の明度レベルの極大値のうち二番目に高い明度レベルＬＶ２ａと最も高い明度レベルＬＶ１との間の任意の値（たとえば明度レベルＬＶ２ａと明度レベルＬＶ１との中間値）を閾値ＴＨとして設定し、ヒストグラムにおける画素数の複数の明度レベルの極大値のうち閾値ＴＨよりも低い複数の明度レベルＬＶ２を、原稿領域の画像の明度レベルとして検出する。
【００８５】
次に制御部１００は、図６（ｄ）に示すように、閾値ＴＨ以下の明度レベルの画像の領域（つまり、明度レベルＬＶ２の画像の領域Ｒ２）を原稿領域として抽出し、図６（ｅ）に示すように、抽出した原稿領域の輪郭（つまり、領域Ｒ２の輪郭ＬＮ）を抽出する。
【００８６】
なお、制御部１００は、閾値ＴＨを基準として明度レベルによって読取画像を２値化し、２値化後の読取画像における変化量の大きい位置を原稿領域の輪郭として抽出してもよい。
【００８７】
図７は、図５の原稿領域を特定する処理（Ｓ４）のサブルーチンである。
【００８８】
図７を参照して、原稿領域を特定する処理（Ｓ４）において、制御部１００は、読取画像内における非原稿領域の画像の明度レベル（第１の下地レベル）を検出し（Ｓ４０１）、原稿領域の画像の明度レベル（第２の下地レベル）を検出する（Ｓ４０３）。
【００８９】
ステップＳ４０３の処理に続いて、制御部１００は、非原稿領域の画像の明度レベルおよび原稿領域の画像の明度レベルに基づいて、原稿領域を抽出し（Ｓ４０５）、原稿領域の輪郭を抽出し（Ｓ４０７）、リターンする。
【００９０】
［原稿の重なりを検出する処理］
【００９１】
図８は、図５の原稿の重なりを検出する処理（Ｓ５）を説明する図である。
【００９２】
図８を参照して、原稿の重なりを検出する処理（Ｓ５）において、制御部１００は、原稿領域の輪郭から一つの閉領域を抽出する。一つの閉領域を抽出するのは、複数の原稿領域を抽出した場合に、それぞれの原稿領域における原稿の重なりの発生の有無を検出するためである。本実施の形態の原稿領域である領域Ｒ２の輪郭ＬＮは１つのみの閉領域を含んでいるため、ここでは輪郭ＬＮ自体が抽出される。
【００９３】
次に制御部１００は、抽出した閉領域における、頂点を構成する線分の方向が互いに直交している頂点を特定する。輪郭ＬＮは、８つの頂点ＣＲ１、ＣＲ２、ＣＲ３、ＣＲ４、ＣＲ５、ＣＲ６、ＣＲ７、およびＣＲ８を含んでいる。これらの頂点のうち頂点ＣＲ３およびＣＲ７は、頂点を構成する線分の方向が互いに直交していない。したがって、輪郭ＬＮからは、頂点ＣＲ１、ＣＲ２、ＣＲ４、ＣＲ５、ＣＲ６、およびＣＲ８が特定される。
【００９４】
次に制御部１００は、特定した頂点が矩形を構成するか否かを判別する。具体的には、制御部１００は、特定した頂点が４個でない場合には、特定した頂点が矩形を構成しないと判別する。また制御部１００は、特定した頂点が４個である場合には、任意の頂点における互いに直交する２つの線分の延在方向をそれぞれｘ軸およびｙ軸とした場合の各頂点の座標（ｘ，ｙ）を算出する。そして、頂点の座標のｘ座標と同一のｘ座標を有する他の頂点が存在しない場合、または頂点の座標のｙ座標と同一のｙ座標を有する他の頂点が存在しない場合には、特定した頂点が矩形を構成しないと判別する。制御部１００は、頂点の座標のｘ座標と同一のｘ座標を有する他の頂点が存在し、頂点の座標のｙ座標と同一のｙ座標を有する他の頂点が存在する場合には、特定した頂点が矩形を構成すると判別する。
【００９５】
制御部１００は、特定した頂点が矩形を構成すると判別した場合、抽出した閉領域から原稿の重なりの発生を検出しない。一方、制御部１００は、特定した頂点が矩形を構成しないと判別した場合、抽出した閉領域から原稿の重なりの発生を検出する。輪郭ＬＮは、特定した頂点が８個であるため、特定した頂点が矩形を構成しないと判別され、原稿の重なりの発生が検出される。
【００９６】
図９は、図５の原稿の重なりを検出する処理（Ｓ５）のサブルーチンである。
【００９７】
図９を参照して、原稿の重なりを検出する処理（Ｓ５）において、制御部１００は、原稿領域の輪郭から一つの閉領域を抽出する（Ｓ５０１）。次に制御部１００は、抽出した閉領域における、頂点を構成する線分の方向が互いに直交する頂点を特定する（Ｓ５０３）。次に制御部１００は、特定した頂点が矩形を構成するか否かを判別する（Ｓ５０５）。
【００９８】
ステップＳ５０５において、特定した頂点が矩形を構成すると判別した場合（Ｓ５０５でＹＥＳ）、制御部１００は、抽出した閉領域から原稿の重なりを検出し（Ｓ５０７）、ステップＳ５１１の処理へ進む。
【００９９】
ステップＳ５０５において、特定した頂点が矩形を構成しないと判別した場合（Ｓ５０５でＮＯ）、制御部１００は、抽出した閉領域から原稿の重なりを検出せず（Ｓ５０９）、ステップＳ５１１の処理へ進む。
【０１００】
ステップＳ５１１において、制御部１００は、原稿領域の輪郭に含まれる全ての閉領域を抽出したか否かを判別する（Ｓ５１１）。
【０１０１】
ステップＳ５１１において、原稿領域の輪郭に含まれる全ての閉領域を抽出していないと判別した場合（Ｓ５１１でＮＯ）、制御部１００はステップＳ５０１の処理へ進み、未抽出の閉領域を抽出する。
【０１０２】
ステップＳ５１１において、原稿領域の輪郭に含まれる全ての閉領域を抽出したと判別した場合（Ｓ５１１でＹＥＳ）、制御部１００はリターンする。
【０１０３】
［最前面画像を特定する処理］
【０１０４】
図１０は、図５の最前面画像を特定する処理（Ｓ７）を説明する図である。
【０１０５】
図１０を参照して、最前面画像を特定する処理（Ｓ７）において、制御部１００は、原稿領域の輪郭から、原稿の重なりがある閉領域（ここでは輪郭ＬＮ）を抽出し、図１０（ａ）に示すようにヒストグラムを作成する。このヒストグラムは、閉領域の画像内の各画素（ここでは領域Ｒ２の画像内の各画素）の明度レベルの分布を示すヒストグラムである。
【０１０６】
上述のように、原稿領域である領域Ｒ２の画像内の各画素の明度レベルは複数である。このため、ヒストグラムは、複数（ここでは２つ）のピークＰ１およびＰ２を含んでいる。ここでは、図１０（ｂ）に示すように、領域Ｒ２において、領域Ｒ２１の画像の原稿は最前面に存在しており、領域Ｒ２２の画像の原稿の一部は領域Ｒ２１の原稿の上に重なっているものとする。ピークＰ１は、領域Ｒ２１の画像内の各画素の明度レベルによるピークである。ピークＰ２は、図１０（ｂ）に示す領域Ｒ２２の画像内の各画素の明度レベルによるピークである。領域Ｒ２１に存在する原稿の紙質と領域Ｒ２２に存在する原稿の紙質との違いなどに起因して、領域Ｒ２１の画像内の各画素の明度レベルと領域Ｒ２２の画像内の各画素の明度レベルとは互いに異なっている。
【０１０７】
次に制御部１００は、ヒストグラムで現れる複数のピークＰ１およびＰ２を特定し、ピークＰ１およびＰ２のうち任意のピークＰ１の明度レベルＬＶ２１を特定する。次に制御部１００は、明度レベルＬＶ２１を含む所定の範囲（ここでは明度レベルＬＶ２１Ａ以上明度レベルＬＶ２１Ｂ以下の範囲）の明度レベルを有する画素（つまり領域Ｒ２１内の画素）を特定し、図１０（ｃ）に示すように、領域Ｒ２の画像から特定した画素を除外する。その結果、除去後の画像は領域Ｒ２２の画像となる。
【０１０８】
次に制御部１００は、除去後の画像である領域Ｒ２２の画像の輪郭ＬＮ２２２の頂点ＣＲを特定し、特定した頂点ＣＲが矩形を構成するか否かを判別する。特定した頂点が矩形を構成しないと判別した場合、制御部１００は、除去後の画像は最前面の原稿の画像として特定せず、除去後の画像を最前面の原稿の画像として保存しない。一方、特定した頂点が矩形を構成すると判別した場合、制御部１００は、除去後の画像は最前面の原稿の画像として特定し、除去後の画像を最前面の原稿の画像として保存する。ここでは、領域Ｒ２２の画像の輪郭ＬＮ２２２から特定された頂点ＣＲは５個であり、矩形を構成しない。このため、除去後の画像は最前面の原稿の画像として特定されず、領域Ｒ２２の画像は保存されない。
【０１０９】
次に制御部１００は、ヒストグラムにおける複数のピークＰ１およびＰ２のうち別のピークＰ２における明度レベルＬＶ２２を特定する。次に制御部１００は、明度レベルＬＶ２２を含む所定の範囲（ここでは明度レベルＬＶ２２Ａ以上明度レベルＬＶ２２Ｂ以下の範囲）の明度レベルを有する画素（つまり領域Ｒ２２の画像内の画素）を特定し、図１０（ｄ）に示すように、領域Ｒ２の画像から特定した画素を除外する。その結果、除去後の画像は領域Ｒ２１の画像となる。
【０１１０】
次に制御部１００は、除去後の画像である領域Ｒ２１の画像の輪郭ＬＮ２２１の４つの頂点ＣＲを特定し、特定した頂点が矩形を構成すると判別する。制御部１００は、除去後の画像である領域Ｒ２１の画像を最前面の原稿の画像として特定する。この場合、制御部１００は、領域Ｒ２の画像では隠れていた線分（輪郭ＬＮ２２１を構成する線分のうち輪郭ＬＮに含まれていなかった線分）を輪郭ＬＮに追加する。制御部１００は、領域Ｒ２１の画像を最前面の原稿の画像として保存する。
【０１１１】
図１１は、図５の最前面画像を特定する処理（Ｓ７）のサブルーチンである。
【０１１２】
図１１を参照して、最前面画像を特定する処理（Ｓ７）において、制御部１００は、原稿領域の輪郭から、図９のステップＳ５０７で原稿の重なりを検出した閉領域を抽出し（Ｓ７０１）、抽出した閉領域の画像内の各画素の明度レベルの分布を示すヒストグラムを作成する（Ｓ７０３）。次に制御部１００は、作成したヒストグラムで現れるピークの明度レベルを特定し（Ｓ７０５）、特定した明度レベルを含む所定の範囲内の明度レベルを有する画素を特定する（Ｓ７０７）。続いて制御部１００は、抽出した閉領域の画像から特定した画素を除外し（Ｓ７０９）、除去後の画像の輪郭の頂点を特定する（Ｓ７１１）。次に制御部１００は、特定した頂点が矩形を構成するか否かを判別する（Ｓ７１３）。
【０１１３】
ステップＳ７１３において、特定した頂点が矩形を構成しないと判別した場合（Ｓ７１３でＮＯ）、制御部１００は、除去後の画像を最前面の原稿の画像として特定せず（Ｓ７７１５）、ヒストグラムにおける全てのピークを特定したか否かを判別する（Ｓ７１７）。
【０１１４】
ステップＳ７１７において、ヒストグラムにおける全てのピークを特定しないと判別した場合（Ｓ７１７でＮＯ）、制御部１００は、ステップＳ７０５の処理へ進み、作成したヒストグラムで現れる別のピークの明度レベルを特定する。
【０１１５】
ステップＳ７１７において、ヒストグラムにおける全てのピークを特定したと判別した場合（Ｓ７１７でＹＥＳ）、制御部１００は、ステップＳ７２３の処理へ進む。
【０１１６】
ステップＳ７１３において、特定した頂点が矩形を構成すると判別した場合（Ｓ７１３でＹＥＳ）、制御部１００は、除去後の画像を最前面の原稿の画像として特定し（Ｓ７１９）、原稿領域では隠れていた線分を原稿領域の輪郭に追加し（Ｓ７２１）、ステップＳ７２３の処理へ進む。
【０１１７】
ステップＳ７２３において、制御部１００は、図９のステップＳ５０７で原稿の重なりを検出した全ての閉領域を抽出したか否かを判別する（Ｓ７２３）。
【０１１８】
ステップＳ７２３において、原稿の重なりを検出した全ての閉領域を抽出しないと判別した場合（Ｓ７２３でＮＯ）、制御部１００はステップＳ７０１の処理へ進み、別の閉領域を抽出する。
【０１１９】
ステップＳ７２３において、原稿の重なりを検出した全ての閉領域を抽出したと判別した場合（Ｓ７２３でＹＥＳ）、制御部１００はリターンする。
【０１２０】
なお、最前面画像を特定する処理は、上述の方法で行われる場合の他、以下の方法で行われてもよい。
【０１２１】
図１２および図１３は、図５の最前面画像を特定する処理（Ｓ７）の変形例を説明する図である。
【０１２２】
図１２（ａ）を参照して、最前面画像を特定する処理（Ｓ７）において、制御部１００は、原稿領域の輪郭から一つの閉領域を抽出する。ここでは輪郭ＬＮ自体が抽出される。
【０１２３】
次に制御部１００は、抽出した閉領域における頂点を特定する。輪郭ＬＮからは、８つの頂点ＣＲ１、ＣＲ２、ＣＲ３、ＣＲ４、ＣＲ５、ＣＲ６、ＣＲ７、およびＣＲ８が特定される。
【０１２４】
図１２（ｂ）を参照して、続いて制御部１００は、特定した頂点のうち直角である頂点を特定する。ここでは、頂点ＣＲ１、ＣＲ２、ＣＲ４、ＣＲ５、ＣＲ６、およびＣＲ８が特定される。
【０１２５】
抽出した閉領域における８つの頂点の各々が直角であるか否かは、図１２（ｃ）に示す原稿角検出用のフィルター（微分フィルター）ＦＲ１、ＦＲ２、ＦＲ３、およびＦＲ４を用いて特定されてもよい。フィルターＦＲ１は矩形における左上の頂点を検出するためのフィルターである。フィルターＦＲ２は矩形における右上の頂点を検出するためのフィルターである。フィルターＦＲ３は矩形における左下の頂点を検出するためのフィルターである。フィルターＦＲ４は矩形における右下の頂点を検出するためのフィルターである。
【０１２６】
原稿角検出用のフィルターを用いる場合、制御部１００は、抽出した閉領域における８つの頂点のうち１つの頂点を選択し、選択した頂点を構成する２つの線分のうち一方の線分の延在方向をｘ方向、ｘ方向に対して垂直な方向（他方の線分の延在方向）をｙ方向とする。次に制御部１００は、選択した頂点のｘ方向とフィルターＦＲ１のｘ方向とを平行にした状態で、選択した頂点とフィルターＦＲ１の中心との位置を重ね合わせる。次に制御部１００は、抽出した閉領域の画像から、選択した頂点付近の複数の画素の各々の明度レベルの微分値を算出し、算出した微分値の各々と、複数の画素の各々に重ね合わされたフィルターＦＲ１の各々の数値の各々との乗算を行う。次に制御部１００は、乗算により得られた値の合計値を算出する。制御部１００は、合計値が所定の閾値を超えた場合に、選択した頂点が矩形の左上の直角であると判断する。抽出した閉領域の画像の輪郭ＬＮ付近では明度レベルの変化量が大きいため、選択した頂点が矩形の左上の頂点である場合には、頂点を構成する２つの線分の各々とフィルターＦＲ１における「１」の数字の配列方向とが一致し、算出される合計値は閾値を超える。
【０１２７】
制御部１００は、選択した頂点とフィルターＦＲ２、ＦＲ３、およびＦＲ４の各々との組についても同様の演算を行うことで、選択した頂点が直角であるか否かを判断する。
【０１２８】
図１３（ａ）を参照して、次に制御部１００は、特定した直角である頂点の座標に基づいて、抽出した閉領域において隠れている複数の頂点および線分を推定する。「隠れている頂点および線分」とは、重なりが生じている原稿の輪郭を構成する頂点および線分であって、原稿領域の輪郭に含まれていない頂点および線分を意味している。
【０１２９】
具体的には、制御部１００は、特定した直角である頂点の中から２つの頂点ＡおよびＢを抽出し、抽出した２つの頂点ＡおよびＢを結ぶ線分の延在方向をｘ方向、ｘ方向に対して垂直な方向をｙ方向とする。次に制御部１００は、抽出した２つの頂点ＡおよびＢの各々からｙ方向に延在する線分上に他の頂点が存在するか否かを判断する。制御部１００は、２つの頂点の全ての組合せについて上記判断を行う。制御部１００は、抽出した２つの頂点のうち一方の頂点Ａからｙ方向に延在する線分上に他の頂点Ｃが存在し、抽出した２つの頂点のうち他方の頂点Ｂからｙ方向に延在する線分上に他の頂点が存在しない場合、その頂点ＡおよびＢの組合せを特定し、特定した組合せの頂点ＡおよびＢと、他の頂点Ｃとにより構成される矩形を想定し、想定した矩形における残り１つの頂点を、隠れている頂点Ｄとして推定する。また、隠れている頂点Ｄと、想定した矩形とに基づいて、隠れている線分を推定する。
【０１３０】
ここでは、頂点ＣＲ５およびＣＲ６の座標に基づいて、頂点ＣＲ１１ならびに線分ＬＮ１１およびＬＮ１２が推定される（この場合、頂点ＣＲ５が上記頂点Ａに相当し、頂点ＣＲ６が上記頂点Ｂに相当し、頂点ＣＲ４が上記頂点Ｃに相当する）。また、頂点ＣＲ１およびＣＲ２の座標に基づいて、頂点ＣＲ２１ならびに線分ＬＮ２１およびＬＮ２２が推定される（この場合、頂点ＣＲ１が上記頂点Ａに相当し、頂点ＣＲ２が上記頂点Ｂに相当し、頂点ＣＲ８が上記頂点Ｃに相当する）。
【０１３１】
図１３（ｂ）を参照して、次に制御部１００は、推定した線分ＬＮ１１およびＬＮ１２、ならびに線分ＬＮ２１およびＬＮ２２の各々の位置での領域Ｒ２の画像の明度レベルの変化に基づいて、推定した線分ＬＮ１１およびＬＮ１２、ならびに線分ＬＮ２１およびＬＮ２２の中から最前面の原稿の輪郭を構成する線分を特定する。
【０１３２】
具体的には、制御部１００は、推定した線分ＬＮ１１およびＬＮ１２の各々について、線分の延在方向に対して垂直な方向（それぞれ図１３（ｂ）中矢印ＡＲ１１およびＡＲ１２で示す方向）に沿った領域Ｒ２の画像における明度レベルが変化する位置であるエッジの有無を検出する。制御部１００は、エッジの検出結果に基づいて、推定した線分ＬＮ１１およびＬＮ１２を最前面の原稿の輪郭を構成する線分として特定するか否かを判断する。
【０１３３】
図１３（ｃ）を参照して、同様に、制御部１００は、推定した線分ＬＮ２１およびＬＮ２２の各々について、線分の延在方向に対して垂直な方向（それぞれ図１３（ｃ）中矢印ＡＲ２１およびＡＲ２２で示す方向）に沿った領域Ｒ２の画像における明度レベルが変化する位置であるエッジの有無を検出する。制御部１００は、エッジの検出結果に基づいて、推定した線分ＬＮ２１およびＬＮ２２を最前面の原稿の輪郭を構成する線分として特定するか否かを判断する。
【０１３４】
エッジは、図１３（ｄ）に示すエッジ検出用のフィルター（微分フィルター）ＦＲ１１およびＦＲ１２を用いて特定されてもよい。フィルターＦＲ１１は、推定した線分の延在方向がｙ方向である場合（線分ＬＮ１２およびＬＮ２２の場合）に、ｘ方向のエッジを検出するためのフィルターである。フィルターＦＲ１２は、推定した線分の延在方向がｘ方向である場合（線分ＬＮ１１およびＬＮ２１の場合）に、ｙ方向のエッジを検出するためのフィルターである。
【０１３５】
具体的には、制御部１００は、推定した線分のうち１つの線分（横方向に近い方向に延在する線分、ここでは線分ＬＮ１１またはＬＮ２１）を選択し、選択した線分の延在方向をｘ方向、選択した線分の延在方向に対して垂直な方向をｙ方向とする。次に制御部１００は、選択した線分のｘ方向とフィルターＦＲ１１のｘ方向とを互いに平行になるようにした状態で、選択した線分の付近にフィルターＦＲ１１を重ね合わせる。次に制御部１００は、領域Ｒ２内の選択した線分付近の複数の画素の各々の明度レベルの微分値を算出し、算出した微分値の各々と、複数の画素の各々に重ね合わされたフィルターＦＲ１１の各々の数値の各々との乗算を行う。次に制御部１００は、乗算により得られた値の合計値を算出する。制御部１００は、フィルターＦＲ１１をｙ方向に移動しながらその都度合計値を算出し、算出した合計値が所定の閾値を超えた場合に、選択した線分の延在方向に対して平行に延在するエッジを検出する。
【０１３６】
同様に、制御部１００は、推定した線分のうち１つの線分（縦方向に近い方向に延在する線分、ここでは線分ＬＮ１２またはＬＮ２２）を選択し、選択した線分の延在方向をｙ方向、選択した線分の延在方向に対して垂直な方向をｘ方向とする。次に制御部１００は、選択した線分のｙ方向とフィルターＦＲ１２のｙ方向とを互いに平行になるようにした状態で、選択した線分の付近にフィルターＦＲ１２を重ね合わせる。次に制御部１００は、領域Ｒ２内の選択した線分付近の複数の画素の各々の明度レベルの微分値を算出し、算出した微分値の各々と、複数の画素の各々に重ね合わされたフィルターＦＲ１２の各々の数値の各々との乗算を行う。次に制御部１００は、乗算により得られた値の合計値を算出する。制御部１００は、フィルターＦＲ１２をｘ方向に移動しながらその都度合計値を算出し、算出した合計値が所定の閾値を超えた場合に、選択した線分の延在方向に対して平行に延在するエッジを検出する。
【０１３７】
図１４は、図５の最前面画像を特定する処理（Ｓ７）の変形例における、エッジの検出結果と特定される最前面画像との関係を示す図である。
【０１３８】
図１３および図１４を参照して、続いて制御部１００は、最前面の原稿の輪郭を構成する線分として、特定した線分を原稿領域の輪郭に追加し、特定した線分で規定される矩形の領域の画像を最前面の原稿の画像として特定する。
【０１３９】
図１４（ａ）では、線分ＬＮ１１の延在方向（ｘ方向）に対して平行に延在するエッジが検出されており、線分ＬＮ１２の延在方向（ｙ方向）に対して平行に延在するエッジが検出されている。一方、線分ＬＮ２１の延在方向（ｘ方向）に対して平行に延在するエッジが検出されておらず、線分ＬＮ２２の延在方向（ｙ方向）に対して平行に延在するエッジが検出されていない。この場合、制御部１００は、線分ＬＮ１１およびＬＮ１２を、最前面の原稿の輪郭を構成する線分として特定する。制御部１００は、図１４（ｂ）に示すように、特定した線分ＬＮ１１およびＬＮ１２で規定される矩形の領域Ｒ２２の画像を、最前面の原稿の画像として特定し、特定した線分ＬＮ１１およびＬＮ１２を原稿領域の輪郭に追加する。
【０１４０】
なお、制御部１００は、特定した線分とは別の線分ＬＮ２１およびＬＮ２２を原稿領域の画像に関連付けて保存することにより、原稿同士の重なり発生を通知する処理（Ｓ９）において表示する画面に、再配置対象の原稿の輪郭として線分ＬＮ２１およびＬＮ２２を表示してもよい。
【０１４１】
図１４（ｃ）では、線分ＬＮ２１の延在方向（ｘ方向）に対して平行に延在するエッジが検出されており、線分ＬＮ２２の延在方向（ｙ方向）に対して平行に延在するエッジが検出されている。一方、線分ＬＮ１１の延在方向（ｘ方向）に対して平行に延在するエッジが検出されておらず、線分ＬＮ１２の延在方向（ｙ方向）に対して平行に延在するエッジが検出されていない。この場合、制御部１００は、線分ＬＮ２１およびＬＮ２２を、最前面の原稿の輪郭を構成する線分として特定する。制御部１００は、図１４（ｄ）に示すように、特定した線分ＬＮ２１およびＬＮ２２で規定される矩形の領域Ｒ２１の画像を、最前面の原稿の画像として特定し、特定した線分ＬＮ２１およびＬＮ２２を原稿領域の輪郭に追加する。
【０１４２】
なお、制御部１００は、特定した線分とは別の線分ＬＮ１１およびＬＮ１２を原稿領域の画像に関連付けて保存することにより、原稿同士の重なり発生を通知する処理（Ｓ９）において表示する画面に、再配置対象の原稿の輪郭として線分ＬＮ１１およびＬＮ１２を表示してもよい。
【０１４３】
図１５は、図５の最前面画像を特定する処理（Ｓ７）の変形例のサブルーチンである。
【０１４４】
図１５を参照して、最前面画像を特定する処理（Ｓ７）において、制御部１００は、原稿領域の輪郭から、図９のステップＳ５０７で原稿の重なりを検出した閉領域を抽出し（Ｓ７５１）、抽出した閉領域における頂点を特定する（Ｓ７５３）。次に制御部１００は、特定した頂点の中で直角である頂点を特定し（Ｓ７５５）、特定した直角である頂点の座標に基づいて、抽出した閉領域において隠れている頂点および線分を推定する（Ｓ７５７）。続いて制御部１００は、推定した線分の各々の位置での画像の明度レベルの変化に基づいて、推定した線分の中から最前面の原稿の輪郭を構成する線分を特定する（Ｓ７５９）。続いて制御部１００は、最前面の原稿の輪郭を構成する線分として特定した線分を原稿領域の輪郭に追加し（Ｓ７６１）、特定した線分で規定される矩形の領域の画像を最前面の原稿の画像として特定する（Ｓ７６３）。
【０１４５】
ステップＳ７６３の処理に続いて、制御部１００は、図９のステップＳ５０７で原稿の重なりを検出した全ての閉領域を抽出したか否かを判別する（Ｓ７６５）。
【０１４６】
ステップＳ７６５において、原稿の重なりを検出した全ての閉領域を抽出しないと判別した場合（Ｓ７６５でＮＯ）、制御部１００はステップＳ７５１の処理へ進み、別の閉領域を抽出する。
【０１４７】
ステップＳ７６５において、原稿の重なりを検出した全ての閉領域を抽出したと判別した場合（Ｓ７６５でＹＥＳ）、制御部１００はリターンする。
【０１４８】
［原稿同士の重なり発生を通知する処理］
【０１４９】
図１６は、図５の原稿同士の重なり発生を通知する処理（Ｓ９）を説明する図である。図１７は、図５の原稿同士の重なり発生を通知する処理（Ｓ９）において操作パネル７０に表示される画面を模式的に示す図である。なお、図１６では、特定した線分ＬＮ１１およびＬＮ１２で規定される矩形の領域Ｒ２２（図１４（ｂ））の画像を最前面の原稿の画像として特定した場合の処理を示している。
【０１５０】
図１６を参照して、原稿同士の重なり発生を通知する処理（Ｓ９）において、制御部１００は、図１６（ａ）に示すように、原稿領域である領域Ｒ２の画像と、画像を特定する処理（Ｓ７）で得られた領域Ｒ２の輪郭ＬＮ１（輪郭ＬＮに線分ＬＮ１１及びＬＮ１２を追加したもの）を取得する。領域Ｒ２には、最前面の原稿の画像である領域Ｒ２２の画像と、最前面の原稿以外の原稿の画像である領域Ｒ２１の画像とが含まれている。
【０１５１】
次に制御部１００は、図１６（ｂ）に示すように、原稿画像である領域Ｒ２の画像を、副走査方向（または主走査方向）を基準線として反転する。これにより、領域Ｒ２１に配置されている原稿と、領域Ｒ２２に配置されている原稿との平面的な位置関係は、プラテン２０ａの上方からこれらの原稿をユーザーが見た場合の平面的な位置関係と等しくなる。そして制御部１００は、反転させた後の原稿画像において、最前面の原稿の画像（領域Ｒ２２の画像）を除去対象の原稿として特定し、最前面の原稿の画像以外の画像（領域Ｒ２１の画像）を再配置対象の原稿として特定する。
【０１５２】
次に制御部１００は、再配置対象の原稿の位置に対する除去対象の原稿の位置を特定する。この特定は、図１６（ｃ）に示すように、領域Ｒ２１の画像を構成する画素の主走査方向および副走査方向の分布と、領域Ｒ２２の画像を構成する画素の主走査方向および副走査方向の分布とに基づいて行われることが好ましい。ここでは、領域Ｒ２２の画像を構成する画素は、領域Ｒ２１の画像を構成する画素と比較して、主走査方向のマイナス側（右側）に存在しており、副走査方向のマイナス側（下側）に存在している。このため、除去対象の原稿は再配置対象の原稿の右下側に位置していることが特定される。
【０１５３】
続いて制御部１００は、原稿の除去および再配置を通知する。制御部１００は、図１７（ａ）に示すように、原稿同士の重なりが発生していることを通知するとともに、原稿の再配置を行うか否かをユーザーに問い合わせる画面を操作パネル７０に表示する。図１７（ａ）に示す画面において、「いいえ」キーＫＹ１が押下された場合、制御部１００は処理を終了する。
【０１５４】
図１７（ａ）の画面において「はい」キーＫＹ２が押下された場合、制御部１００は、除去対象の原稿の除去および前記再配置対象の原稿の再配置を要求する画面を操作パネル７０に表示する。図１７（ｂ）に示す画面は、除去対象の原稿の位置を示すとともに、除去対象の原稿を除去することと、再配置対象の原稿を再配置して画像読取の実行指示を再度行うこととを通知するものである。
【０１５５】
原稿画像における除去対象の原稿および再配置対象の原稿は互いに異なる態様で表示されることが好ましい。ここでは、プラテン２０ａ上に配置された複数の原稿の輪郭を示すプレビュー画像が表示されるとともに、除去対象の原稿の領域に除去対象であることを示す文字列が付され、再配置対象の原稿の領域に再配置対象であることを示す文字列が付されている。また、除去対象の原稿の画像および輪郭に、再配置対象の原稿の画像および輪郭とはことなる色が付されている。これにより、除去対象の原稿をユーザーに対して分かりやすく通知することができる。
【０１５６】
また、図１７（ａ）の画面において「はい」キーＫＹ２が押下された場合、制御部１００は、図１７（ｂ）に示す画面の代わりに図１７（ｃ）に示す画面を表示してもよい。図１７（ｃ）に示す画面は、除去対象の原稿の位置を文字で説明するとともに、除去対象の原稿を除去することと、画像読取の実行指示を再度行うこととを通知する画面である。
【０１５７】
上記の通知を受けて原稿の再配置を行うユーザーは、最前面の原稿（最前面の原稿の画像は図５のステップＳ８の処理にて既に保存されている）をプラテン２０ａ上から除去し、最前面の原稿以外の原稿をプラテン２０ａ上に再配置し、図１７（ｂ）または図１７（ｃ）に示す画面において「確認」キーＫＹ３を押下することにより、画像読取の再度の実行指示を行う。再度の画像読取の際には、１回目の画像読取の際の最前面の原稿は除去されており、読取領域Ｒ０内の空きスペースは広くなるため、原稿同士の重なりは生じにくくなる。
【０１５８】
「原稿の再配置」とは、再度の画像読取のためにプラテン上に原稿を配置することを意味しており、プラテン上から原稿を一旦取り除いた後でプラテン上に再び配置することは必須ではない。再配置される原稿の位置は変更されてもよいし、変更されなくてもよい。
【０１５９】
なお、原稿同士の重なり発生を通知する処理（Ｓ９）において、制御部１００は、除去対象の原稿の位置を説明せずに、除去対象の原稿を除去することと、画像読取の実行指示を再度行うこととを通知してもよい。この場合、ユーザーは、プラテン２０ａ上の複数の原稿の配置状態を目視することにより、除去対象の原稿を特定する。
【０１６０】
図１８は、図５の原稿同士の重なり発生を通知する処理（Ｓ９）のサブルーチンである。
【０１６１】
図１８を参照して、原稿同士の重なり発生を通知する処理（Ｓ９）において、制御部１００は、原稿画像およびその輪郭を取得し（Ｓ９０１）、主走査方向または副走査方向を基準線として原稿画像を反転する（Ｓ９０３）。次に制御部１００は、最前面の原稿を除去対象の原稿として特定し（Ｓ９０５）、最前面の原稿以外の原稿を再配置対象の原稿として特定する（Ｓ９０７）。次に制御部１００は、再配置対象の原稿の位置に対する除去対象の原稿の位置を特定し（Ｓ９０９）、原稿同士の重なり発生を通知する画面を表示する（Ｓ９１１）。次に制御部１００は、画像読取の実行指示を受け付けたか否かを判別する（Ｓ９１３）。
【０１６２】
ステップＳ９１３において、画像読取の実行指示を受け付けたと判別した場合（Ｓ９１３でＹＥＳ）、制御部１００は図５のステップＳ３の処理へ進み、原稿の画像を再度読み取る。
【０１６３】
ステップＳ９１３において、画像読取の実行指示を受け付けないと判別した場合（Ｓ９１３でＮＯ）、制御部１００は処理を終了する。
【０１６４】
［実施の形態の効果］
【０１６５】
図１９は、本発明の一実施の形態の効果を説明する図である。
【０１６６】
図１９を参照して、本実施の形態では、ユーザーがプラテン２０ａ上に複数の原稿ＭＳ１およびＭＳ２を配置した（図１９（ａ））後、図１９（ｂ）に示すように原稿同士の重なり（図１９（ｂ）中領域ＯＰで示す部分）が発生した場合に、プラテンに最も近い側の原稿である最前面の原稿ＭＳ１の画像が特定される。そして最前面の原稿ＭＳ１の画像は保存され、最前面の原稿ＭＳ１の除去が要求され、最前面の原稿以外の原稿ＭＳ２の再配置が要求される。この要求を受けてユーザーは、最前面の原稿ＭＳ１を除去し（図１９（ｃ））、残りの原稿ＭＳ２のみを対象として、再度の画像読取の実行指示を行う（図１９（ｄ））。最前面の原稿ＭＳ１の除去により、読取領域Ｒ０内の空きスペースは広くなるため、除去後の原稿ＭＳ２には重なりが生じにくくなる。これにより、複数の原稿の画像を読み取る際に発生し得る再配置や再スキャンの手間を省略することができる。その結果、原稿画像の読取時間のロスを削減することができ、作業効率を向上することができ、利便性を向上することができる。
【０１６７】
［その他］
【０１６８】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１６９】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７０】
１  ＭＦＰ（Ｍｕｌｔｉｆｕｎｃｔｉｏｎ  Ｐｅｒｉｐｈｅｒａｌ）
１０  自動原稿送り装置（原稿押さえの一例）
１１  原稿セットセンサー
１２  原稿給紙トレイ
１３  原稿排紙トレイ
２０  原稿読取部（取得手段の一例）
２０ａ，１０２０ａ  プラテン（プラテンの一例）
２０ｂ  ＩＲモジュール
２０ｃ  駆動伝達部
２０ｄ  ＩＲモータ
２０ｅ  ランプ
２０ｆ  イメージセンサ
２１  装置持ち上げセンサー
３０  画像形成部
３１ａ，３１ｂ，３１ｃ，３１ｄ  感光体ドラム
３２ａ，３２ｂ，３２ｃ，３２ｄ  露光走査ユニット
３３  転写ベルト
３４  前扉センサー
３５  画像形成位置
４０  自動両面ユニット
５０  給紙部
５１，５３，６１，６３  給紙カセット
５２，５４，６２，６４  ピックアップローラー
６０  給紙キャビネット
７０  操作パネル（受付手段の一例）
７１  表示部
７２  タッチパネル入力部
７３  キー入力部
８０  副電源スイッチ
９０  ファクシミリユニット
９１  通信インターフェースユニット
１００  制御部
１０１  ＣＰＵ（Ｃｅｎｔｒａｌ  Ｐｒｏｃｅｓｓｉｎｇ  Ｕｎｉｔ）
１０２  ＲＯＭ（Ｒｅａｄ  Ｏｎｌｙ  Ｍｅｍｏｒｙ）
１０３  ＲＡＭ（Ｒａｎｄｏｍ  Ａｃｃｅｓｓ  Ｍｅｍｏｒｙ）
１１１  原稿領域特定部（原稿領域特定手段の一例）
１１２  重なり検出部（重なり検出手段の一例）
１１３  最前面画像特定部（最前面特定手段の一例）
１１４  最前面画像保存部（保存手段の一例）
１１５  再配置通知部（要求手段の一例）
１２０  ＨＤＤ（Ｈａｒｄ  Ｄｉｓｋ  Ｄｒｉｖｅ）
１０１０  原稿押さえ
１０１０ａ  ヒンジ
Ａ，Ｂ，Ｃ，ＣＲ，ＣＲ１，ＣＲ３，ＣＲ４，ＣＲ５，ＣＲ６，ＣＲ７，ＣＲ８，ＣＲ１１，ＣＲ２１，Ｄ  頂点
ＦＲ１，ＦＲ２，ＦＲ３，ＦＲ４，ＦＲ１１，ＦＲ１２  フィルター
ＫＹ１，ＫＹ２，ＫＹ３  キー
ＬＮ，ＬＮ１，ＬＮ２２１，ＬＮ２２２  輪郭
ＬＮ１１，ＬＮ１２，ＬＮ２１，ＬＮ２２  線分
ＬＶ１，ＬＶ２，ＬＶ２ａ，Ｌ２１，ＬＶ２１Ａ，ＬＶ２１Ｂ，ＬＶ２２，ＬＶ２２Ａ，ＬＶ２２Ｂ  明度レベル
ＭＳ，ＭＳ１，ＭＳ２  原稿
ＯＰ  原稿同士の重なりが発生している領域
Ｒ０  読取領域
Ｒ１，Ｒ２，Ｒ２１，Ｒ２２  領域
【図１】
2020174241.tif 000003
【図２】
2020174241.tif 000004
【図３】
2020174241.tif 000005
【図４】
2020174241.tif 000006
【図５】
2020174241.tif 000007
【図６】
2020174241.tif 000008
【図７】
2020174241.tif 000009
【図８】
2020174241.tif 000010
【図９】
2020174241.tif 000011
【図１０】
2020174241.tif 000012
【図１１】
2020174241.tif 000013
【図１２】
2020174241.tif 000014
【図１３】
2020174241.tif 000015
【図１４】
2020174241.tif 000016
【図１５】
2020174241.tif 000017
【図１６】
2020174241.tif 000018
【図１７】
2020174241.tif 000019
【図１８】
2020174241.tif 000020
【図１９】
2020174241.tif 000021
【図２０】
2020174241.tif 000022